(57)【特許請求の範囲】
【請求項１】
可撓性を有する板部材内に配置される電気化学素子であって、
正極及び負極を含む電極体と、
前記電極体を覆った状態で外周側が溶着されるシート状のラミネートフィルム外装体と、
一端側が前記電極体に接続され、他端側が前記ラミネートフィルム外装体から外方に延出する正極接続端子及び負極接続端子とを備え、
前記正極接続端子及び前記負極接続端子の少なくとも一方は、前記ラミネートフィルム外装体から外方に延出する部分の一部に、平面視で前記ラミネートフィルム外装体の外方で厚み方向に曲げられた折曲部を有する、電気化学素子。
【請求項２】
請求項１に記載の電気化学素子において、
前記折曲部は、前記正極接続端子及び前記負極接続端子の少なくとも一方に複数設けられている、電気化学素子。
【請求項３】
請求項１または２に記載の電気化学素子において、
前記折曲部は、前記正極接続端子及び前記負極接続端子の少なくとも一方に、平面視で厚み方向に折り重ねられるように設けられている、電気化学素子。
【請求項４】
請求項１から３のいずれか一つに記載の電気化学素子において、
二次電池であり、
前記折曲部は、前記正極接続端子に設けられている、電気化学素子。
【請求項５】
請求項１から４のいずれか一つに記載の電気化学素子において、
前記正極接続端子及び前記負極接続端子のうち、前記折曲部が設けられた接続端子は、前記折曲部を樹脂部材によって覆われている、電気化学素子。
【請求項６】
請求項１から５のいずれか一つに記載の電気化学素子を内部に有する、カード。
【請求項７】
請求項６に記載のカードにおいて、
平面視で一方向の長さ寸法が他方向の長さ寸法よりも長く、
前記電気化学素子は、前記正極接続端子及び前記負極接続端子のうち前記折曲部が設けられた接続端子が前記一方向に延びるように配置されている、カード。
【請求項８】
請求項７に記載のカードにおいて、
前記電気化学素子は、前記折曲部が前記一方向の中央部分に位置付けられるように配置されている、カード。
【発明の詳細な説明】
【技術分野】
【０００１】
本発明は、電極体をラミネートフィルム外装体で覆った電気化学素子及びそれを備えたカードに関する。
【背景技術】
【０００２】
従来より、電極体をラミネートフィルム外装体で覆った電気化学素子が知られている。このような電気化学素子では、一方の端部が電極体に電気的に接続された接続端子の他方の端部が、ラミネートフィルム外装体から外方に突出している。
【０００３】
上述のような電気化学素子は、例えば特許文献１、２に開示されるように、ＩＣカードなどのカードに内蔵される。カードに内蔵された電気化学素子は、接続端子がＩＣモジュール等の電気回路に接続されている。これにより、カード内のＩＣモジュール等の電気回路に対し、電気化学素子から電力を供給することができる。
【先行技術文献】
【特許文献】
【０００４】
【特許文献１】特開２００５−１０８５９号公報
【特許文献２】特開２００８−１２３８１６号公報
【発明の概要】
【発明が解決しようとする課題】
【０００５】
ところで、上述のように電気化学素子が内蔵されるカードは、板状であるため、カードの使用形態によっては、カードに厚み方向の弾性変形が生じる場合がある。その場合、カード内に配置された電気化学素子も、カードの弾性変形に応じて該カード内で弾性変形する。
【０００６】
そのため、カードの弾性変形が繰り返し生じた場合には、電気化学素子のラミネートフィルム外装体から外方に突出した接続端子が、カードの弾性変形に応じて繰り返し曲げられて、損傷を受ける可能性がある。
【０００７】
本発明の目的は、カード等の板部材内に配置される電気化学素子において、該板部材が曲げ変形を生じた場合でも、十分な強度を有する構成を得る。
【課題を解決するための手段】
【０００８】
本発明の一実施形態に係る電気化学素子は、可撓性を有する板部材内に配置される電気化学素子である。この電気化学素子は、正極及び負極を含む電極体と、前記電極体を覆った状態で外周側が溶着されるシート状のラミネートフィルム外装体と、一端側が前記電極体に接続され、他端側が前記ラミネートフィルム外装体から外方に延出する正極接続端子及び負極接続端子とを備える。前記正極接続端子及び前記負極接続端子の少なくとも一方は、厚み方向に曲げられた折曲部を有する（第１の構成）。
【０００９】
可撓性を有する板部材内に、上述の構成を有する電気化学素子を配置することにより、前記板部材が曲げられた場合に、該板部材内に配置された電気化学素子の正極接続端子及び負極接続端子のうち折曲部が設けられた端子が損傷を受けるのを防止できる。すなわち、電気化学素子における正極接続端子及び負極接続端子の少なくとも一方に、厚み方向に折り曲げられた折曲部を設けることにより、前記電気化学素子が内部に配置された板部材に曲げ変形が生じた場合に、該曲げ変形による接続端子の変形を前記折曲部によって吸収することができる。
【００１０】
前記第１の構成において、前記折曲部は、前記正極接続端子及び前記負極接続端子の少なくとも一方に複数設けられている（第２の構成）。このように少なくとも一方の接続端子に複数の折曲部を設けることによって、電気化学素子が内部に配置された板部材の曲げ変形に伴う前記接続端子の変形を、より効果的に吸収することができる。
【００１１】
前記第１または第２の構成において、前記折曲部は、前記正極接続端子及び前記負極接続端子の少なくとも一方に、平面視で厚み方向に折り重ねられるように設けられている（第３の構成）。これにより、折曲部によって、電気化学素子が内部に配置された板部材の曲げ変形に伴う接続端子の厚み方向の変形を、効果的に吸収することができる。
【００１２】
前記第１から第３の構成のうちいずれか一つの構成において、電気化学素子は、二次電池であり、前記折曲部は、前記正極接続端子に設けられている（第４の構成）。このように電気化学素子が二次電池の場合には、正極接続端子がアルミニウム合金等によって構成されている。前記正極接続端子の材料強度は比較的、低いため、該正極接続端子に繰り返し曲げ変形が生じた場合には、該正極接続端子が損傷を受けやすい。これに対し、上述のように正極接続端子に折曲部を設けることにより、電気化学素子が内部に配置された板部材の曲げ変形に伴う正極接続端子の変形を吸収することができ、該正極接続端子の損傷を防止できる。
【００１３】
前記第１から第４の構成のうちいずれか一つの構成において、前記正極接続端子及び前記負極接続端子のうち、前記折曲部が設けられた接続端子は、樹脂部材によって覆われている（第５の構成）。
【００１４】
これにより、折曲部が設けられた接続端子が、板部材の曲げ変形によって損傷を受けるのをより確実に防止できる。特に、前記接続端子の一部のみが樹脂部材によって覆われている場合、該接続端子に曲げ変形が生じると、樹脂部材によって覆われた部分と覆われていない部分との境界部分が破損しやすいが、上述のように前記接続端子を樹脂部材によって覆うことにより、このような破損を生じにくくすることができる。
【００１５】
本発明の一実施形態に係るカードは、第１から第５の構成のいずれか一つの電気化学素子を内部に有する（第６の構成）。このようなカードにおいて曲げ変形が生じた場合、該カード内の電気化学素子も前記曲げ変形に応じて変形を生じる。このとき、折曲部が設けられた接続端子では、前記曲げ変形に伴う変形を前記折曲部で吸収することができるため、前記曲げ変形によって損傷を受けるのを防止できる。
【００１６】
前記第６の構成において、カードは、平面視で一方向の長さ寸法が他方向の長さ寸法よりも長い。前記電気化学素子は、前記正極接続端子及び前記負極接続端子のうち前記折曲部が設けられた接続端子が前記一方向に延びるように配置されている（第７の構成）。
【００１７】
このような構成を有するカードでは、一方向の中央部分が凸になるような曲げ変形を生じやすい。このようなカード内に、折曲部が設けられた接続端子が前記一方向に延びるように配置された電気化学素子は、カードの上述のような曲げ変形に対し、前記接続端子の変形が前記折曲部で吸収される。したがって、上述の構成を有するカードにおいて、該カードの曲げ変形による電気化学素子の接続端子の破損を防止できる。
【００１８】
前記第７の構成において、前記電気化学素子は、前記折曲部が前記一方向の中央部分に位置付けられるように配置されている（第８の構成）。このように、カードにおいて、最も変形量が大きい前記一方向の中央部分に折曲部が位置付けられるように、電気化学素子を配置することにより、カードの曲げ変形に伴う電気化学素子の接続端子の変形を折曲部によって吸収することができる。したがって、カードの曲げ変形によって電気化学素子の接続端子が損傷を受けるのをより確実に防止できる。
【発明の効果】
【００１９】
本発明の一実施形態に係る電気化学素子によれば、正極接続端子及び負極接続端子の少なくとも一方に、折曲部が設けられている。これにより、電気化学素子を板状部材の内部に配置した状態で、該板部材に曲げ変形が生じた場合、折曲部が設けられた接続端子では、該折曲部によって変形が吸収される。よって、板部材の曲げ変形によって、電気化学素子の前記接続端子が損傷を受けるのを防止できる。したがって、カード等の板部材内に配置される電気化学素子において、該板部材が曲げ変形を生じた場合でも、十分な強度を有する構成が得られる。
【図面の簡単な説明】
【００２０】
【図１】図１は、実施形態１に係るカードの概略構成を示す平面図である。
【図２】図２は、ラミネート形電池の概略構成を示す斜視図である。
【図３】図３は、図２におけるＩＩＩ−ＩＩＩ線断面図である。
【図４】図４は、正極側接続端子を拡大して示す部分拡大断面図である。
【図５】図５は、カードを長手方向に曲げた状態を模式的に示す図である。
【図６】図６は、正極側接続端子に折曲部を設けた場合の正極側接続端子の長さと、折曲部を設けていない場合の正極側接続端子の長さとの関係を示す図である。
【図７】図７は、実施形態２に係るラミネート形電池の概略構成を示す図２相当図である。
【発明を実施するための形態】
【００２１】
以下、図面を参照し、本発明の実施の形態を詳しく説明する。図中の同一または相当部分については同一の符号を付してその説明は繰り返さない。
【００２２】
＜実施形態１＞
（カード）
図１は、本発明の一実施形態であるカード１の概略構成を示す平面図である。このカード１は、例えばＩＣカードなどのように、内部に電気回路２を有するカードである。カード１は、例えば樹脂材料によって構成されたカード基材１ａを有し、該カード基材１ａ内に、電気回路２と、該電気回路２に対して電力を供給するラミネート形電池３（電気化学素子）とが配置されている。
【００２３】
カード１は、一方向（図１における左右方向）の長さが、他方向（図１における上下方向）の長さよりも大きい長方形状に形成されている。図１に示す例では、電気回路２及びラミネート形電池３は、カード１内に、前記一方向である長手方向に並んで配置されている。
【００２４】
電気回路２とラミネート形電池３とは、電気的に接続されている。具体的には、ラミネート形電池３の正極接続端子４１及び負極接続端子４２が、電気回路２に対して電気的に接続されている。後述するように、正極接続端子４１及び負極接続端子４２は、ラミネート形電池３の一側から外方に向かって延びている。
【００２５】
以上の構成により、ラミネート形電池３は、正極接続端子４１及び負極接続端子４２が、カード１の長手方向に延びるように、該カード１内に配置されている。
【００２６】
（ラミネート形電池）
次に、ラミネート形電池３の構成について説明する。図２に、ラミネート形電池３の概略構成を示す。図３は、ラミネート形電池３の概略構成を示す断面図である。図４は、正極接続端子４１を拡大して示す拡大断面図である。このラミネート形電池３は、発電体として機能する電極体１０がラミネートフィルム外装体２０によって覆われた平面視で長方形状の二次電池である。
【００２７】
図２及び図３に示すように、ラミネート形電池３は、電極体１０と、該電極体１０を覆うラミネートフィルム外装体２０とを備える。また、ラミネート形電池３は、電極体１０の正極１１及び負極１２にそれぞれ接続される正極接続端子４１及び負極接続端子４２（接続端子）を備える。なお、ラミネート形電池３の内部には、非水電解液も封入されている。
【００２８】
ラミネートフィルム外装体２０は、アルミニウム製の金属箔の一面側がナイロンで覆われ、且つ、他面側がポリプロピレンで覆われた材料からなる。すなわち、ラミネートフィルム外装体２０は、アルミニウムをナイロン及びポリプロピレンでラミネートした材料からなる。これにより、ラミネートフィルム外装体２０は、ラミネートフィルム外装体２０同士を重ね合わせた状態で加熱しながら圧力を加えることによって、溶着される。なお、金属箔は、アルミニウムに限らず、ステンレス等の他の金属材料によって形成されていてもよい。
【００２９】
また、ラミネートフィルム外装体２０は、略長方形状に形成されている。一対のラミネートフィルム外装体２０によって電極体１０を挟んだ状態で、該ラミネートフィルム外装体２０の外周側同士を溶着することにより、図２及び図３に示すような膨出部３ａ及びシール部３ｂが形成される。すなわち、ラミネートフィルム外装体２０が電極体１０を覆うことにより膨出部３ａが形成され、該膨出部３ａの周囲でラミネートフィルム外装体２０同士を接着することにより該膨出部３ａを囲むようにシール部３ｂが形成される。
【００３０】
本実施形態では、電極体１０は、直方体状に形成されている。そのため、図１に示すように、膨出部３ａは、ラミネートフィルム外装体２０の平面視（以下、単に平面視ともいう）で、長方形状に形成される。シール部３ｂは、平面視で、ラミネート形電池１が長方形状になるように、膨出部３ａの周りに形成されている。
【００３１】
また、一対のラミネートフィルム外装体２０は、図３に示すように、ラミネート形電池３が、電極体１０の厚み方向の一方側に平面部３ｃを有するとともに、電極体１０の厚み方向の他方側に上述の膨出部３ａを有するように、電極体１０を挟んだ状態でラミネートフィルム外装体２０の外周側同士が溶着されている。すなわち、一対のラミネートフィルム外装体２０のうち、一方のラミネートフィルム外装体２０が電極体１０の外形に沿うように配置される。
【００３２】
シール部３ｂのうち、ラミネート形電池１の長手方向の端部側に位置する部分では、正極接続端子４１及び負極接続端子４２は、一対のラミネートフィルム外装体２０に挟み込まれた状態で、ラミネートフィルム外装体２０同士が溶着されることにより固定されている。
【００３３】
なお、本実施形態では、一対のラミネートフィルム外装体２０の外周側同士を溶着しているが、この限りではなく、１枚のラミネートフィルム外装体を、電極体１０を挟み込むように折り返して溶着してもよい。ラミネートフィルム外装体を折り返す方向については、電極体１０に対する正極接続端子４１及び負極接続端子４２の延伸方向であってもよいし、幅方向であってもよい。
【００３４】
電極体１０は、図３に示すように、それぞれシート状に形成された正極１１及び負極１２を、両者の間にシート状のセパレータ１３が位置するように重ね合わせることにより形成された積層体である。なお、本実施形態では、電極体１０は、シート状の正極１１、負極１２及びセパレータ１３が積層された積層体であるが、この限りではなく、正極１１、負極１２及びセパレータ１３を重ね合わせた状態で巻回した後、押しつぶすことにより扁平状に形成された巻回体であってもよい。
【００３５】
なお、図３には、電極体１０の一例として、正極１１及び負極１２が合わせて５層積層された積層体が図示されているが、この限りではなく、電極体１０は４層以下の積層体であってもよいし、６層以上の積層体であってもよい。
【００３６】
正極１１は、正極活物質を含有する正極活物質層を、アルミニウム等の金属箔製の正極集電体の両面または片面に設けたものである。詳しくは、正極１１は、リチウムイオンを吸蔵・放出可能なリチウム含有酸化物である正極活物質、導電助剤及びバインダなどを含む正極合剤を、アルミニウム箔などからなる正極集電体上に塗布して乾燥させることによって形成される。正極活物質であるリチウム含有酸化物としては、例えば、ＬｉＣｏＯ２などのリチウムコバルト酸化物やＬｉＭｎ２Ｏ４などのリチウムマンガン酸化物、ＬｉＮｉＯ２などのリチウムニッケル酸化物等のリチウム複合酸化物を用いるのが好ましい。なお、正極活物質として、１種類の物質のみを用いてもよいし、２種類以上の物質を用いてもよい。また、正極活物質は、上述の物質に限られない。
【００３７】
負極１２は、負極活物質を含有する負極活物質層を、銅等の金属箔製の負極集電体の両面にそれぞれ設けたものである。詳しくは、負極１２は、リチウムイオンを吸蔵・放出可能な負極活物質、導電助剤及びバインダなどを含む負極合剤を、銅箔などからなる負極集電体上に塗布して乾燥させることによって形成される。負極活物質としては、例えば、リチウムイオンを吸蔵・放出可能な炭素材料（黒鉛類、熱分解炭素類、コークス類、ガラス状炭素類など）を用いるのが好ましい。負極活物質は、上述の物質に限られない。
【００３８】
また、電極体１０の正極１１には、正極活物質層が形成されておらず正極集電体が露出した集電体露出領域（図示省略）に正極接続端子４１が接続されている。一方、負極１２には、負極活物質層が形成されておらず負極集電体が露出した集電体露出領域（図示省略）に負極接続端子４２が接続されている。正極接続端子４１及び負極接続端子４２は、それぞれ一部がラミネートフィルム外装体２０の外側に位置している。これにより、他の接続部品を介して外部に接続端子を引き出す構成に比べて、インピーダンスを小さくすることができる。
【００３９】
正極接続端子４１は、平面視で長方形状に形成されたアルミニウムの金属箔によって構成されている。アルミニウムの金属箔は、比較的強度が低いため、曲げ変形を繰り返した場合に損傷を受けやすい。
【００４０】
そのため、本実施形態では、図２及び図４に示すように、正極接続端子４１のうち、ラミネートフィルム外装体２０から外方に延出した部分が、平面視で厚み方向に重なるように折り曲げられている。すなわち、正極接続端子４１は、ラミネートフィルム外装体２０から外方に延出した部分に、平面視で、ラミネートフィルム外装体２０に向かって正極接続端子４１が折り曲げられることにより形成された第１折曲部４１ａと、正極接続端子４１の先端側がラミネートフィルム外装体２０の外方に向かって延びるように折り返されることにより形成された第２折曲部４１ｂとを有する。
【００４１】
このように、正極接続端子４１が第１折曲部４１ａ及び第２折曲部４１ｂを有することにより、正極接続端子４１は、その長手方向の断面で見て、Ｚ字状に形成されている。なお、第１折曲部４１ａ及び第２折曲部４１ｂが、それぞれ、本発明の折曲部に対応するが、以下では、説明の簡略化のために、第１折曲部４１ａ及び第２折曲部４１ｂを合わせて折曲部４１ｃと呼ぶ。
【００４２】
以上のように、正極接続端子４１において、ラミネートフィルム外装体２０から外方に延出する部分の一部に、平面視で、厚み方向に折り重ねられるように折曲部４１ｃを設けることにより、正極接続端子４１に厚み方向に曲げ変形が生じた場合には、該曲げ変形を折曲部４１ｃによって吸収することができる。
【００４３】
図５に示すように、ラミネート形電池３は、カード１内に、正極接続端子４１がカード１の長手方向に延びるように配置されている。ラミネート形電池３は、正極接続端子４１が、カード１の長手方向の中央部分に位置するように配置される。具体的には、ラミネート形電池３は、正極接続端子４１の折曲部４１ｃが、前記中央部分に位置するように配置される。なお、図５において、電気回路２の図示は省略する。
【００４４】
このように、正極接続端子４１の折曲部４１ｃを、カード１の長手方向の中央部分に位置付けることにより、カード１に曲げ変形が生じた場合に、最も曲げ応力が大きい前記中央部分において、正極接続端子４１に生じる厚み方向の曲げ変形を折曲部４１ｃによって吸収することができる。
【００４５】
よって、上述の構成により、ラミネート形電池３が内部に配置されたカード１に厚み方向の弾性変形を生じさせた場合に、その弾性変形に伴って正極接続端子４１に生じる厚み方向の変形を折曲部４１ｃによって吸収することができる。したがって、正極接続端子４１が損傷を受けるのを防止できる。
【００４６】
なお、本実施形態では、正極接続端子４１の折曲部４１ｃがカード１の長手方向の中央部分に位置するように、ラミネート形電池３がカード１内に配置されているが、この限りではなく、正極接続端子４１が前記長手方向に延びるように配置されていれば、ラミネート形電池３はカード１内にどのように配置されていてもよい。
【００４７】
しかも、正極接続端子４１に上述のような折曲部４１ｃを設けることにより、ラミネート形電池３が内部に配置されたカード１に振動が加わった場合でも、折曲部４１ｃによって振動を吸収することができる。したがって、ラミネート形電池３及びカード１に加わる振動によって、正極接続端子４１が損傷を受けるのを防止できる。
【００４８】
負極接続端子４２は、一方向に延びる銅やニッケル等の金属箔によって構成されている。図２に示すように、負極接続端子４２は一方の端部が負極１２に接続されていて（図示省略）、他方の端部がラミネートフィルム外装体２０の外方に延出している。すなわち、負極接続端子４２も、正極接続端子４１と同様、ラミネートフィルム外装体２０によって挟み込まれている。
【００４９】
なお、図２から図４に示すように、正極接続端子４１及び負極接続端子４２の表面上には、それぞれ、ラミネートフィルム外装体２０によって挟み込まれる部分に、正極側樹脂部４５（樹脂部材）及び負極側樹脂部４６が形成されている。すなわち、ラミネートフィルム外装体２０と正極接続端子４１との間に正極側樹脂部４５が位置するとともに、ラミネートフィルム外装体２０と負極接続端子４２との間に負極側樹脂部４６が位置する。
【００５０】
これにより、ラミネートフィルム外装体２０と、該ラミネートフィルム外装体２０によって挟み込まれた正極接続端子４１及び負極接続端子４２とのそれぞれの接着強度を向上することができるとともに、正極接続端子４１及び負極接続端子４２とラミネートフィルム外装体２０とをより確実に電気的に絶縁することができる。
【００５１】
正極側樹脂部４５及び負極側樹脂部４６は、それぞれ、例えばポリプロピレン（ＰＰ）などの樹脂材料からなる平面視で長方形状のシートによって構成されている。このシートを、正極接続端子４１及び負極接続端子４２に対してそれぞれ直交する方向に延び且つ正極接続端子４１及び負極接続端子４２をそれぞれ挟み込むように配置した状態で、正極接続端子４１及び負極接続端子４２の各表面上に被着させることにより、正極側樹脂部４５及び負極側樹脂部４６がそれぞれ形成される。
【００５２】
（折曲部の効果）
次に、上述のように正極接続端子４１に折曲部４１ｃを設けた場合の効果について説明する。
【００５３】
折曲部４１ｃの効果を確認するために、識別カードの試験方法（ＩＳＯ／ＩＥＣ  １３０７３−１、ＪＩＳ  Ｘ  ６３０５−１）に基づいて、カード１の動的曲げ試験及び動的ねじり試験を行った。
【００５４】
動的曲げ試験に用いた試験装置は、固定部に対して、可動部が往復でスライド移動可能な構成を有し、前記固定部と前記可動部との間にカード１を配置することにより、該カード１に繰り返し曲げ変形を生じさせる。なお、動的曲げ試験に用いた試験装置は、規格（ＩＳＯ／ＩＥＣ  １３０７３−１、ＪＩＳ  Ｘ  ６３０５−１）に記載されている装置と同様の構成を有するため、詳しい説明を省略する。
【００５５】
動的曲げ試験は、以下の手順により行った。動的曲げ試験の方法は、規格（ＩＳＯ／ＩＥＣ  １３０７３−１、ＪＩＳ  Ｘ  ６３０５−１）に記載されている方法と同様である。
【００５６】
カード１を一方の面が上側になるように試験装置に取り付けて、該カード１を長手方向に曲げた状態で最大たわみｈが２０．０ｍｍ＋０ｍｍ／−１ｍｍになるように、カード１を長手方向に２５０回、曲げた。その後、カード１を裏返して前記試験装置に取り付けて、同様に最大たわみｈが２０．０＋０ｍｍ／−１ｍｍになるように、カード１を長手方向に２５０回、曲げた。
【００５７】
次に、カード１を前記一方の面が上側になるように試験装置に取り付けて、該カード１を短辺側に曲げた状態で最大たわみｈｗが１０．０ｍｍ＋０ｍｍ／−１ｍｍになるように、カード１を短手方向に２５０回、曲げた。その後、カード１を裏返して前記試験装置に取り付けて、同様に最大たわみｈｗが１０．０ｍｍ＋０ｍｍ／−１ｍｍになるように、カード１を短手方向に２５０回、曲げた。
【００５８】
動的ねじり試験に用いた試験装置は、カード１の長手方向の両端部を固定した状態で、該カード１の長手方向にねじり変形を生じさせるように前記両端部のうち少なくとも一方をカード１の厚み方向に回転可能な構成を有する。なお、動的ねじり試験に用いた試験装置は、規格（ＩＳＯ／ＩＥＣ  １３０７３−１、ＪＩＳ  Ｘ  ６３０５−１）に記載されている装置と同様の構成を有するため、詳しい説明を省略する。
【００５９】
動的ねじり試験は、カード１のねじり角度が１５度±１度で、試験周波数が０．５Ｈｚの条件で、カード１を１０００サイクルねじることにより行った。動的ねじり試験の方法も、規格（ＩＳＯ／ＩＥＣ  １３０７３−１、ＪＩＳ  Ｘ  ６３０５−１）に記載されている方法と同様である。
【００６０】
折曲部４１ｃの効果を確認するために、上述の動的曲げ試験及び動的ねじり試験を１セットとして、３セット行った。各セットの試験を行った後、正極接続端子４１の破損の有無を目視によって確認した。
【００６１】
なお、試験に用いたラミネート形電池３は、正極接続端子４１に折曲部４１ｃを設けた場合の該正極接続端子４１の長さをａ、及び、正極接続端子４１に折曲部４１ｃを設けない場合の該正極接続端子４１の長さをｂとした場合（図６参照）に、ｂ＝２．５ａとなるように、正極接続端子４１に折曲部４１ｃを設けた（実施例）。一方、比較例として、正極接続端子４１に折曲部４１ｃを設けなかった場合（ａ＝ｂ）のラミネート形電池も作製した。
【００６２】
作製したラミネート形電池３を、所定サイズのカードの一面に両面テープによって固定し、該カードを用いて、動的曲げ試験及び動的ねじり試験を行った。
【００６３】
試験結果を表１に示す。表１は、正極接続端子４１の損傷の有無を、該正極接続端子４１が破断したかどうかによって判定した結果を示す。なお、ｂ＝２．５ａの実施例を２個、作製して、それぞれを実施例１及び実施例２として評価した。
【表１】
0006730016.tif 000002
【００６４】
表１に示すように、本実施形態の構成を有する実施例１及び実施例２では、動的曲げ試験及び動的ねじり試験を３セット、行った場合でも、正極接続端子４１の破断は生じなかった。一方、折曲部４１ｃが形成されていない比較例の場合には、動的曲げ試験及び動的ねじり試験を１セット、行うことにより、正極接続端子４１の破断が生じた。
【００６５】
このような結果から、正極接続端子４１に折曲部４１ｃを設けることにより、カード１の曲げ変形に伴う正極接続端子４１の曲げ変形を折曲部４１ｃで吸収することができ、該正極接続端子４１の損傷を防止できることが分かる。
【００６６】
（実施形態の効果）
本実施形態では、ラミネート形電池３の正極接続端子４１に、該正極接続端子４１を平面視で厚み方向に重なるように折り曲げられることによって形成される折曲部４１ｃを設ける。これにより、ラミネート形電池３をカード１内に配置した状態で、該カード１に曲げ変形が生じた場合に、正極接続端子４１に生じる曲げ変形を折曲部４１ｃによって吸収することができる。よって、カード１内に配置されたラミネート形電池３の正極接続端子４１が、カード１の曲げ変形によって損傷を受けるのを防止できる。
【００６７】
また、ラミネート形電池３は、カード１内に、正極接続端子４１が該カード１の長手方向に延びるように配置されている。これにより、カード１を長手方向に曲げた場合、正極接続端子４１の曲げ変形を折曲部４１ｃによって効果的に吸収することができる。
【００６８】
さらに、ラミネート形電池３は、カード１内に、折曲部４１ｃが該カード１の長手方向中央部に位置するように配置されている。これにより、カード１の曲げ変形による曲げ応力が最大である前記中央部において、正極接続端子４１に生じる曲げ変形を折曲部４１ｃによって吸収することができる。
【００６９】
＜実施形態２＞
図７に、実施形態２に係るラミネート形電池１０３の概略構成を示す。この実施形態２の構成は、ラミネート形電池１０３の正極接続端子４１が正極側樹脂部１４５によって覆われている点で、実施形態１の構成とは異なる。以下では、実施形態１の構成と同一の構成には同一の符号を付して説明を省略し、実施形態１の構成と異なる点についてのみ説明する。
【００７０】
図７に示すように、正極接続端子４１は、先端側を除いて正極側樹脂部１４５によって覆われている。よって、正極接続端子４１及び正極側樹脂部１４５を厚み方向に重なるように折り曲げることによって、折曲部１４１ｃが形成される。
【００７１】
上述のように、正極接続端子４１を正極側樹脂部１４５によって覆うことにより、該正極接続端子４１の損傷をより確実に防止できる。すなわち、実施形態１のように、正極側樹脂部４５が正極接続端子４１のラミネートフィルム外装体２０側のみに設けられている場合には、正極接続端子４１に曲げ変形が生じると、該正極接続端子４１と正極側樹脂部４５との境目で該正極接続端子４１が損傷を受けやすい。これに対し、正極接続端子４１をその先端側を除いて正極側樹脂部１４５によって覆うことにより、正極接続端子４１が損傷を受けにくくすることができる。
【００７２】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００７３】
前記各実施形態では、正極接続端子４１に第１折曲部４１ａ及び第２折曲部４１ｂが設けられている。しかしながら、正極接続端子４１に折曲部を１つ設けてもよいし、３つ以上設けてもよい。なお、正極接続端子４１に折曲部を複数設けることにより、カード１の曲げ変形に伴う正極接続端子４１の変形を、より効果的に吸収することができる。
【００７４】
前記各実施形態では、正極接続端子４１に折曲部４１ｃを設けているが、この限りではなく、負極接続端子４２に折曲部を設けてもよいし、正極接続端子４１及び負極接続端子４２の両方に折曲部を設けてもよい。なお、正極接続端子４１及び負極接続端子４２のうち、少なくとも材料の強度が低い方に折曲部を設けるのが好ましい。
【００７５】
前記各実施形態では、平面視で正極接続端子４１が厚み方向に折り重ねられるように折曲部４１ｃが形成される。しかしながら、折曲部４１ｃは、正極接続端子４１を曲げた際に形成される折り目によって構成されていてもよい。すなわち、折曲部４１ｃは、曲げられていない平板状の正極接続端子４１に対し、全長が短くなるように曲げられた部分によって構成されていればよい。
【００７６】
前記各実施形態では、カード１内にラミネート形電池３が配置されている。しかしながら、可撓性を有する板状の部材（板部材）であれば、どのような部材内にラミネート形電池３を配置してもよい。
【００７７】
前記各実施形態では、ラミネート形電池３は、平面視で矩形状に形成されている。しかしながら、ラミネート形電池は、多角形状など、他の形状であってもよい。
【００７８】
前記各実施形態では、ラミネート形電池３はリチウムイオン電池である。しかしながら、ラミネート形電池３はリチウムイオン電池以外の電池であってもよい。また、ラミネート形電池３だけではなく、キャパシタなども含む電気化学素子に前記各実施形態の構成を適用してもよい。すなわち、蓄電または発電可能であり、且つ、平板状の接続端子が外部に突出した構成を有し、板部材内に配置される薄型のデバイスに、前記各実施形態の構成を適用することができる。
【産業上の利用可能性】
【００７９】
本発明は、電極体がラミネートフィルム外装体によって覆われた電気化学素子に利用可能である。
【符号の説明】
【００８０】
１  カード
２  電気回路
３、１０３  ラミネート形電池（電気化学素子）
３ａ  膨出部
３ｂ  シール部
３ｃ  平面部
１０  電極体
１１  正極
１２  負極
２０  ラミネートフィルム外装体
４１  正極接続端子
４１ａ  第１折曲部
４１ｂ  第２折曲部
４１ｃ、１４１ｃ  折曲部
４２  負極接続端子
４５、１４５  正極側樹脂部（樹脂部材）
４６  負極側樹脂部
【図１】
0006730016.tif 000003
【図２】
0006730016.tif 000004
【図３】
0006730016.tif 000005
【図４】
0006730016.tif 000006
【図５】
0006730016.tif 000007
【図６】
0006730016.tif 000008
【図７】
0006730016.tif 000009